【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
当該回胴式遊技機に投入されたメダルを、遊技に有効なメダルと無効なメダルとに選別し、前記有効とされたメダルを検出する第１検出手段を有するメダルセレクタと、
該メダルセレクタから前記第１検出手段を経たメダルを蓄えるホッパーへと誘導するための誘導部に設けられ、該誘導されるメダルを検出する第２検出手段と、
を備えた回胴式遊技機において、
前記第１検出手段は、メダルを検出するための少なくとも２個のセンサを備えたものであり、
該２個のセンサがメダルを検出した時間差に基づいて、異常が発生したか否かを判定する異常検出手段と、
前記異常が発生したと前記異常検出手段が判定した場合に報知動作を行なう第２報知手段と、
前記第１検出手段により検出されたメダルの枚数と前記第２検出手段により検出されたメダルの枚数とに基づき、不正行為が当該回胴式遊技機に対して行なわれたか否かを判定する第１不正行為検出手段と、
前記不正行為が行なわれたと前記第１不正行為検出手段が判定した場合に報知動作を行なう第１報知手段と  
前記メダルセレクタに、アクチュエータによって作動する排出部材と
を備え、
該排出部材は、前記第２報知手段による報知動作を行なう時には作動せず、前記第２報知手段による報知動作を行なう時には作動し、前記第１報知手段による報知動作以降に投入されるメダルを前記無効なメダルとして排出する
ことを特徴とする回胴式遊技機。
【手続補正２】
【補正対象書類名】明細書
【補正対象項目名】０００６
【補正方法】変更
【補正の内容】
【０００６】
上記課題を解決するためになされた本発明は、当該回胴式遊技機に投入されたメダルを、遊技に有効なメダルと無効なメダルとに選別し、前記有効とされたメダルを検出する第１検出手段を有するメダルセレクタと、該メダルセレクタから前記第１検出手段を経たメダルを蓄えるホッパーへと誘導するための誘導部に設けられ、該誘導されるメダルを検出する第２検出手段と、を備えた回胴式遊技機において、前記第１検出手段は、メダルを検出するための少なくとも２個のセンサを備えたものであり、該２個のセンサがメダルを検出した時間差に基づいて、異常が発生したか否かを判定する異常検出手段と、前記異常が発生したと前記異常検出手段が判定した場合に報知動作を行なう第２報知手段と、前記第１検出手段により検出されたメダルの枚数と前記第２検出手段により検出されたメダルの枚数とに基づき、不正行為が当該回胴式遊技機に対して行なわれたか否かを判定する第１不正行為検出手段と、前記不正行為が行なわれたと前記第１不正行為検出手段が判定した場合に報知動作を行なう第１報知手段と  前記メダルセレクタに、アクチュエータによって作動する排出部材とを備え、該排出部材は、前記第２報知手段による報知動作を行なう時には作動せず、前記第２報知手段による報知動作を行なう時には作動し、前記第１報知手段による報知動作以降に投入されるメダルを前記無効なメダルとして排出することを特徴とする。
【手続補正３】
【補正対象書類名】明細書
【補正対象項目名】０００７
【補正方法】変更
【補正の内容】
【０００７】
本発明の参考例１は、当該回胴式遊技機に投入されたメダルを、遊技に有効なメダルと無効なメダルとに選別するものであって、前記有効とされたメダルを検出する第１検出手段を備えたメダルセレクタと、少なくとも、該メダルセレクタにより遊技に有効なメダルとして選別されたメダルを蓄えるホッパーと、前記メダルセレクタにより有効とされたメダルを、前記メダルセレクタから前記ホッパーへと誘導するための誘導部と、該誘導部に設けられ、該誘導部により誘導されるメダルを検出する第２検出手段と、前記第１検出手段によりメダルが検出されてから前記第２検出手段によりメダルが検出されるまでの所要時間に基づき、不正行為が当該回胴式遊技機に対して行なわれたか否かを判定する第２不正行為検出手段と、前記不正行為が行なわれたと前記第２不正行為検出手段が判定した場合に報知動作を行なう第１報知手段とを備えたことを特徴とする回胴式遊技機をその要旨とする。
本発明の参考例２は、回胴式遊技機において、請求項１に記載の回胴式遊技機または本発明の参考例１において、前記第２検出手段は、前記誘導部において前記メダルセレクタよりも前記ホッパー寄りの位置におけるメダルの通過を検出するものであることを特徴とする。
【手続補正４】
【補正対象書類名】明細書
【補正対象項目名】０００８
【補正方法】変更
【補正の内容】
【０００８】
本発明の参考例３は、請求項１、参考例１、参考例２または参考例３のいずれかに記載の回胴式遊技機において、前記メダルセレクタに投入されたメダルを、前記第１検出手段に検出させることなく当該回胴式遊技機の外部へ排出する排出手段を備え、前記第１報知手段により報知動作が行なわれる場合には、前記排出手段を稼動させることを特徴とする。
【手続補正５】
【補正対象書類名】明細書
【補正対象項目名】００１１
【補正方法】変更
【補正の内容】
【００１１】
そして、第１検出手段は、メダルを検出するための少なくとも２個のセンサを備えており、これら２個のセンサがメダルを検出した時間差に基づいて、異常検出手段が、異常の発生を判定する。そして、異常が発生したと異常検出手段により判定されると、第２報知手段が、第１報知手段による報知動作とは異なる報知動作を行なう。
ここで、第１検出手段をなす２個のセンサの検出結果に基づいてメダル投入口に投入されたメダルを検出するのは、既に一般に行なわれていることである。すなわち、例えばフォトインタラプタなどのセンサを、メダル投入口付近のメダル通路に２個設置すると、この部分をメダルが通過した場合に２個のフォトインタラプタの検出結果には必ず時間差が生じる。この時間差を、正規のメダルを投入した際の時間差と比較することにより、メダルが通過したことや、通過した方向や、通過した回数（枚数）を検出することが行なわれている。  
だがこの検出方法では、不正行為でなくてもメダルの汚れや遊技者が激しくメダルを投げ込んだ場合などが原因で誤検出が発生しうる。そこで本発明では、この誤検出を、前記第１不正行為検出手段や第２不正行為検出手段とは独立して異常検出手段が行ない、報知動作も、第１報知手段とは異なる態様にて第２報知手段が行なう。こうすると、不正行為が行なわれた可能性が高い第１不正行為検出手段や第２不正行為検出手段による判定結果と、不正行為ではない可能性が高い異常検出手段による判定結果とを異なる態様にて報知することが可能となる。これにより例えば、第１報知手段による報知動作は、周囲に響き渡るような大音響で行なって、不正行為を即座にやめさせる一方、第２報知手段による報知動作は、ホールコンピュータに異常が検知された旨を報告するだけにし、特定の遊技機から繰り返しこの報告が来る場合に初めて、ホールの管理者などがその遊技機を点検に行くといった運用を行なうことが可能となる。なお、「異なる報知動作」とは両報知動作が全く異なることのみを指すのではない。例えば第２報知手段はランプの点滅で報知し、第１報知手段はランプの点滅と大音響で報知するといったように、報知動作の一部が共通していても構わない。
なお、第１検出手段と同様に、第２検出手段も２個のセンサを備えたものとし、これらがメダルを検出した時間差に基づいて、メダルの通過を検出するように構成してももちろん構わない。
【手続補正６】
【補正対象書類名】明細書
【補正対象項目名】００１２
【補正方法】変更
【補正の内容】
【００１２】
参考例２の回胴式遊技機では、第２検出手段は、誘導部においてメダルセレクタよりもホッパー寄りの位置におけるメダルの通過を検出する。つまり、第１検出手段から第２検出手段は、かなりの距離はなれていることになる。この結果、例えば、これら第１検出手段、第２検出手段に誤検出させるために、ＬＥＤなどの発光素子（当然、第１および第２検出手段に誤検出させるために発光素子も複数備えることになる）を備えた基板をメダル投入口などから挿入しても、第１検出手段から遠く離れた第２検出手段の位置に正確に発光素子を位置させるのは困難である。しかも通常、メダルセレクタの内部は複雑な形状をしているので、前記基板は柔軟性を持たせる必要があり、この結果、第２検出手段に誤検出させるための発光素子を適切に位置させるのが、一層困難となる。
なお、第２検出手段を、誘導部においてホッパーよりもメダルセレクタ寄りの位置におけるメダルの通過を検出するように構成しても、第２検出手段はメダルセレクタの外部におけるメダルの通過を検出することになるので、第２検出手段に誤検出させるのは、やはり困難である。請求項３にように誘導部においてメダルセレクタよりもホッパー寄りの位置におけるメダルの通過を検出するように構成すれば誤検出の難易度が一層あがるということである。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
参考例３の回胴式遊技機は、第１報知手段により報知動作が行なわれる場合には、排出手段を稼動させて、投入されたメダルを、第１検出手段に検出させることなく当該回胴式遊技機の外部へ排出する。
第１報知手段により報知動作が行なわれる場合とは、不正行為が行なわれている可能性が高い場合であるから、速やかにその遊技機における遊技を中断させるのが望ましい。しかし、こうした事態が発生して報知動作が行なわれても、店員が即座に対応できるとは限らない。この点、本発明の回胴式遊技機によれば、第１報知手段により報知動作が行なわれる場合には、メダルセレクタに投入されたメダルが第１検出手段に検出させることなく当該遊技機の外部に排出されるので、不正行為による被害を最小限に抑えることができる。
【手続補正１１】
【補正対象書類名】明細書
【補正対象項目名】００４７
【補正方法】変更
【補正の内容】
【００４７】
ここで本実施例の構成・状態と、本発明の構成要件との対応関係を示す。スイッチ１０ａ、１０ｂが本発明の「第１検出手段」に相当し、スイッチ１０ｃ、１０ｄが本発明の「第２検出手段」に相当し、誘導樋６３が本発明の「誘導部」に相当し、キャンセルゲート６１およびソレノイド６１ａが本発明の「排出手段」に相当し、Ｓ４００〜Ｓ４１５の処理が本発明の「第１不正検出手段」に相当し、Ｓ４２０の処理が本発明の「第１報知手段」に相当し、Ｓ１００〜Ｓ１７０の処理およびＳ３００〜Ｓ３７０の処理が本発明の「異常検出手段」に相当し、Ｓ１７５の処理が本発明の「第２報知手段」に相当する。